(57)【要約】【課題】  反射モードで表示した情報を判読しやすくした電気光学装置、この電気光学装置を備えた電子機器、および電気光学装置の駆動方法を提供すること。【解決手段】  電気光学装置において、マトリクス状に配置された画素５０は、サブ画素５１（Ｒ）、５１（Ｇ）、５１（Ｂ）を備えており、これらのサブ画素は、透過モードで画像を表示するカラー表示部５１１と、反射モードで画像を表示するモノクロ表示部５１２とを備えている。ここで、カラー表示部５１１によってカラー表示を行うときとモノクロ表示部５１２によってモノクロ表示を行うときとでは画素５０に供給する画像信号を相違させる。【選択図】    図４
2006071865.tif 000002
【特許請求の範囲】
【請求項１】
複数のサブ画素を備えた複数の画素がマトリクス状に配置された電気光学装置において、
前記複数の画素は各々、画素内でカラー表示を行うための第１表示部と、モノクロ表示又は単色の階調表示を行うための第２表示部とを備え、
前記第１表示部によってカラー表示を行うときと前記第２表示部によってモノクロ表示又は単色の階調表示を行うときとで前記画素に供給する画像信号を相違させるための画像データ変換部を備えており、
前記画像データ変換部は、カラー表示からモノクロ表示又は単色の階調表示に切り換える際、隣接した画素において、カラー表示では異なる色調であり、かつ、モノクロ表示又は単色の階調表示に切り換えた際に同じ階調になる場合には、隣接した画素同士で異なる階調になるように、隣接した画素同士の一方の画素に供給される画像データを変換することを特徴とする電気光学装置。
【請求項２】
請求項１において、前記画像データ変換部は、カラー表示からモノクロ表示又は単色の階調表示に切り換える際、カラー画像データを所定の式に代入して求めた値をモノクロ表示用又は単色の階調表示用画像データとして用いることを特徴とする電気光学装置。
【請求項３】
請求項１において、前記画像データ変換部は、カラー表示からモノクロ表示又は単色の階調表示に切り換える際、カラー画像データから画像内の輪郭線を判断し、この輪郭線に沿って、隣接する画素とは異なる階調に変換したデータをモノクロ表示用又は単色の階調表示用画像データとして用いることを特徴とする電気光学装置。
【請求項４】
請求項１ないし３のいずれかにおいて、前記第１表示部は、光源から出射された光を変調する透過モードで画像を表示し、前記第２表示部は、入射した外光を変調する反射モードで画像を表示することを特徴とする電気光学装置。
【請求項５】
請求項４において、前記画像データ変換部は、カラー表示と、モノクロ表示又は単色の階調表示との切り換えを電気光学装置外部からの指令に基づいて行うことを特徴とする電気光学装置。
【請求項６】
請求項４において、さらに、透過モードで画像を表示するタイミングと、反射モードで画像を表示するタイミングとを判別する判別手段を有し、
前記画像データ変換部は、前記判別手段の判別結果に基づいて、カラー表示モードと、モノクロ表示モード又は単色の階調表示モードとを自動的に切り換えることを特徴とする電気光学装置。
【請求項７】
請求項６において、前記判別手段は、外光の照度を検出する光強度センサであり、
当該光強度センサは、外光の照度が低いときには透過モードでカラー表示を行うタイミングと判別し、外光の照度が高いときには反射モードでモノクロ表示又は単色の階調表示を行うタイミングと判別することを特徴とする電気光学装置。
【請求項８】
請求項６において、前記判別手段は、前記光源が点灯しているか否かを監視する監視部であり、
前記監視部は、前記光源が点灯しているときには透過モードでカラー表示を行うタイミングと判別し、前記光源が消灯しているときには反射モードでモノクロ表示又は単色の階調表示を行うタイミングと判別することを特徴とする電気光学装置。
【請求項９】
請求項５ないし８のいずれかにおいて、光を変調する電気光学物質層を保持する一対の基板と、
前記第１表示部に対応するカラーフィルタ層と、
前記第２表示部に対応する反射層と
を備えていることを特徴とする電気光学装置。
【請求項１０】
請求項９において、前記第１表示部における前記電気光学物質層の層厚は、前記第２表示部における前記電気光学物質層の層厚よりも厚いことを特徴とする電気光学装置。
【請求項１１】
請求項１ないし１０のいずれかにおいて、前記画素における各々の前記第１表示部は、複数の異なる色に対応し、前記画素における各々の前記第２表示部は白及び黒に対応することを特徴とする電気光学装置。
【請求項１２】
請求項１ないし１１のいずれかに規定する電気光学装置を備えていることを特徴とする電子機器。
【請求項１３】
複数のサブ画素を備えた複数の画素がマトリクス状に配置された電気光学装置の駆動方法において、
前記複数の画素は各々、画素内でカラー表示を行うための第１表示部と、モノクロ表示又は単色の階調表示を行うための第２表示部とを備え、
カラー表示からモノクロ表示又は単色の階調表示に切り換える際、隣接した画素において、カラー表示では異なる色調であり、かつ、モノクロ表示又は単色の階調表示に切り換えた際に同じ階調になる場合には、隣接した画素同士で異なる階調になるように変換した画像データを、隣接した画素同士の一方の画素に供給することを特徴とする電気光学装置の駆動方法。
【発明の詳細な説明】
【技術分野】
【０００１】
本発明は、カラー画像およびモノクロ画像を表示可能な電気光学装置、この電気光学装置を備えた電子機器、および電気光学装置の駆動方法に関するものである。
【背景技術】
【０００２】
１つの電気光学装置でカラー画像およびモノクロ画像を表示可能なものとしては、フィールドシーケンシャル方式で画像を表示するものが提案されている（例えば、特許文献１参照）。
【０００３】
また、上記の技術を用いなくても、複数の画素の各々に、複数の色の各々に対応する複数のカラー表示部と、モノクロ表示部とを設ければ、１つの電気光学装置でカラー画像およびモノクロ画像を表示することができる。
【特許文献１】国際公開番号ＷＯ０１／０９１０９８公報
【発明の開示】
【発明が解決しようとする課題】
【０００４】
しかしながら、カラー画像を表示した際には、隣接する画素間で階調（輝度）が同一でも、出射する光の色が相違するため、情報を容易に判読できるが、カラー画像を表示するための信号をそのまま用いてモノクロ画像を表示すると、隣接する画素間で輝度が同一あるいは近似している場合に情報を判読できなくなるという問題点がある。
【０００５】
以上の問題点に鑑みて、本発明の課題は、カラー画像およびモノクロ画像のいずれにおいても情報を容易に、かつ、確実に判読することのできる電気光学装置、この電気光学装置を備えた電子機器、および電気光学装置の駆動方法を提供することにある。
【課題を解決するための手段】
【０００６】
上記課題を解決するために、本発明では、複数のサブ画素を備えた複数の画素がマトリクス状に配置された電気光学装置において、前記複数の画素は各々、画素内でカラー表示を行うための第１表示部と、モノクロ表示又は単色の階調表示を行うための第２表示部とを備え、前記第１表示部によってカラー表示を行うときと前記第２表示部によってモノクロ表示又は単色の階調表示を行うときとで前記画素に供給する画像信号を相違させるための画像データ変換部を備えており、前記画像データ変換部は、カラー表示からモノクロ表示又は単色の階調表示に切り換える際、隣接した画素において、カラー表示では異なる色調であり、かつ、モノクロ表示又は単色の階調表示に切り換えた際に同じ階調になる場合には、隣接した画素同士で異なる階調になるように、隣接した画素同士の一方の画素に供給される画像データを変換することを特徴とする。
【０００７】
本発明では、第１表示部によってカラー表示を行うときと、第２表示部によってモノクロ表示あるいは単色表示を行うときとで画素に供給する画像信号を相違させるため、隣接した画素において、カラー画像データでは異なる表示信号であれば、モノクロ画像用あるいは単色画像用のデータに変換した際、隣接する画素間で階調をずらすことができる。従って、モノクロ画像あるいは単色画像において、隣接する画素間で輝度が同一あるいは近似していることに起因して、情報を判読できなくなるという問題を回避でき、カラー画像、およびモノクロ画像（あるいは単色画像）のいずれにおいても情報を容易に、かつ、確実に判読することができる。
【０００８】
本発明において、前記画像データ変換部は、カラー表示からモノクロ表示又は単色の階調表示に切り換える際、カラー画像データを所定の式に代入して求めた値をモノクロ表示用又は単色の階調表示用画像データとして用いる。
【０００９】
本発明において、前記画像データ変換部は、カラー表示からモノクロ表示又は単色の階調表示に切り換える際、カラー画像データから画像内の輪郭線を判断し、この輪郭線に沿って、隣接する画素とは異なる階調に変換したデータをモノクロ表示用又は単色の階調表示用画像データとして用いる。ここで、輪郭線は同じ色調の領域の輪郭であり、該輪郭線の内側の領域の全ての画素において、異なる階調に変換したデータを単色画像データとして用いても良い。
【００１０】
本発明において、前記第１表示部は、例えば、光源から出射された光を変調する透過モードで画像を表示し、前記第２表示部は、入射した外光を変調する反射モードで画像を表示する。反射モードでの画像の表示は外光を利用するという性質上、その光量は限られているが、反射モードでモノクロ画像を表示すれば、カラー画像を表示する場合と違って、カラーフィルタ層を透過しない。それ故、反射モードであっても、カラーフィルタ層を透過する際の光損失が発生しないため、明るい画像を表示できるので、表示された情報を判読しやすい。
【００１１】
本発明において、前記画像データ変換部は、例えば、カラー表示と、モノクロ表示又は単色の階調表示との切り換えを電気光学装置外部からの指令に基づいて行う。
【００１２】
本発明において、さらに、透過モードで画像を表示するタイミングと、反射モードで画像を表示するタイミングとを判別する判別手段を有し、前記画像データ変換部は、前記判別手段の判別結果に基づいて、カラー表示モードと、モノクロ表示モード又は単色の階調表示モードとを自動的に切り換える構成を採用してもよい。
【００１３】
本発明において、前記判別手段は、例えば、外光の照度を検出する光強度センサであり、当該光強度センサは、外光の照度が低いときには透過モードでカラー表示を行うタイミングと判別し、外光の照度が高いときには反射モードでモノクロ表示又は単色の階調表示を行うタイミングと判別する。
【００１４】
本発明において、前記判別手段は、前記光源が点灯しているか否かを監視する監視部であってもよく、この場合、前記監視部は、前記光源が点灯しているときには透過モードでカラー表示を行うタイミングと判別し、前記光源が消灯しているときには反射モードでモノクロ表示又は単色の階調表示を行うタイミングと判別する。
【００１５】
本発明においては、例えば、光を変調する電気光学物質層を保持する一対の基板と、前記第１表示部に対応するカラーフィルタ層と、前記第２表示部に対応する反射層とを備えている。この場合、前記第１表示部における前記電気光学物質層の層厚は、前記第２表示部における前記電気光学物質層の層厚よりも厚いことが好ましい。反射モードでは、光が電気光学物質層を２回通過するのに対して、透過モードでは、光が電気光学物質層を１回しか通過しない。従って、透過表示を行う第１表示部における電気光学物質層の層厚を厚くしておけば、第１表示部および第２の表示部のいずれにおいても、リタデーションを最適化することができる。
【００１６】
本発明において、前記画素における各々の前記第１表示部は、複数の異なる色に対応し、前記画素における各々の前記第２表示部は白及び黒に対応する構成を採用できる。
【００１７】
本発明を適用した電気光学装置は、携帯電話機やモバイルコンピュータなどといった電子機器に用いられる。
【００１８】
本発明では、複数のサブ画素を備えた複数の画素がマトリクス状に配置された電気光学装置の駆動方法において、前記複数のサブ画素は各々、画素内でカラー表示を行うための第１表示部と、モノクロ表示又は単色の階調表示を行うための第２表示部とを備え、
カラー表示からモノクロ表示又は単色の階調表示に切り換える際、隣接した画素において、カラー表示では異なる色調であり、かつ、モノクロ表示又は単色の階調表示に切り換えた際に同じ階調になる場合には、隣接した画素同士で異なる階調になるように変換した画像データを、隣接した画素同士の一方の画素に供給することを特徴とする。
【発明を実施するための最良の形態】
【００１９】
以下、図面を参照し、本発明の実施の形態について説明する。なお、以下に示す各図においては、各構成要素を図面上で認識され得る程度の大きさとするため、各構成要素の寸法や比率を実際のものとは適宜に異ならせてある。
【００２０】
［実施の形態１］
（電気光学装置の全体構成）
図１は、本発明を適用した電気光学装置の分解斜視図である。図２は、図１に示す電気光学装置の断面図である。図３は、図１に示す電気光学装置の電気的構成を示すブロック図である。図４は、本発明の実施の形態１に係る電気光学装置の画素構成を平面的に示す説明図である。図５は、本発明の実施の形態１に係る電気光学装置を図４のＣ−Ｃ′線で切断してサブ画素の断面を模式的に示す説明図である。なお、図４では、ＴＦＤ素子を覆うように画素電極が形成されているが、構成要素を存在を分かりやすくするために、画素電極の一部を切り欠いてＴＦＤ素子を表してある。
【００２１】
図１および図２に示すように、本形態の電気光学装置１は、バックライト装置６、電気光学パネル１０、および遮光性のフレーム７がこの順に重ねて配置されている。フレーム７は、電気光学パネル１０の画像表示領域１１に対応する領域が光透過領域７１になっており、利用者が電気光学パネル１０の画像表示領域１１に表示された画像を視認できるようになっている。
【００２２】
バックライト装置６は、光源としての複数のＬＥＤ６１（発光素子）と、これらのＬＥＤ６１から出射された光が側端面から入射して出射面６２から出射される樹脂製の導光板６３とを備えており、導光板６１の出射面６２側に電気光学パネル１０が対向配置されている。さらに、バックライト装置６においては、例えば、導光板６１の出射面６２の側に光散乱シート６６が配置され、反対側の面にはプリズムシート６７が配置される。
【００２３】
電気光学パネル１０は、例えば、ネマチック液晶を用いたアクティブマトリクス型のカラー液晶パネルであり、電気光学パネル１０の両面には入射側偏光板１５および出射側偏光板１６などが積層されている。電気光学パネル１０は、後述するように、画素電極やＴＦＤ素子などが形成された素子基板２０と、対向電極やカラーフィルタなどが形成された対向基板３０がシール材１４によって所定の間隙を介して貼り合わされ、その基板間に液晶層１２が保持されている。本形態では、素子基板２０および対向基板３０のうち、表示光（矢印Ｌで示す）が出射される側に対向基板３０が配置され、その反対側に素子基板２０が配置されている。
【００２４】
素子基板２０は、対向基板３０よりも大きく、素子基板２０の対向基板３０からの張り出し領域１８にパネル駆動用ＩＣ３がＣＯＧ（Ｃｈｉｐ  Ｏｎ  Ｇｌａｓｓ）実装されている。ここで、パネル駆動用ＩＣ３には、後述するデータ線駆動回路４２０や走査線駆動回路４１０が構成されているとともに、電気光学装置１全体で用いる各種電圧を生成する電源回路も構成されている。また、電気光学パネル１０の張り出し領域１８には、パネル駆動用ＩＣ３に信号や電源を供給する可撓性基板６０の端部も実装されている。可撓性基板６０には、バックライト装置６のＬＥＤ６１が実装されているとともに、ＬＥＤ６１を駆動するためのＬＥＤ駆動回路が構成されたＬＥＤ駆動用ＩＣ６４も実装されている。ＬＥＤ駆動用ＩＣ６４は、所定のデューティ比をもって電流を供給する。ここで、可撓性基板６０は、電気光学パネル１０の側から導光板６３の側まで引き回され、ＬＥＤ６１の出射光軸を導光板６３の側端面を向けた状態に位置決めされている。
【００２５】
このような電気光学パネル１０では、図３および図４に示すように、複数本の走査線４１が行（Ｘ）方向に形成され、複数本のデータ線４２が列（Ｙ）方向に形成されている。また、走査線４１とデータ線４２との各交差部分に対応して、多数のサブ画素５１がマトリクス状に形成されている。各サブ画素５１では、ネマチック液晶からなる液晶層４３と、二端子型アクティブ素子たるＴＦＤ素子７０とが直列接続している。ここに示す例では、液晶層５１が走査線４１の側に接続され、ＴＦＤ素子７０がデータ線４２の側に接続されているが、液晶層４３がデータ線４２の側に接続され、ＴＦＤ素子７０が走査線４１の側に接続されている構成であってもよい。いずれの場合も、各走査線４１は、走査線駆動回路４１０によって駆動される一方、各データ線４２は、データ線駆動回路４２０によって駆動される。
【００２６】
また、本形態の電気光学パネル１０は、後述するように、カラー画像の表示とモノクロ画像の表示とを行うことができ、いずれの場合も、最適な画像ができるように、カラー画像を表示する場合と、モノクロ画像を表示する場合とで画像信号を相違させている。そのため、データ線駆動回路４２０に対しては、カラー画像を表示する場合の信号をモノクロ画像を表示するための信号に変換する画像データ変換部４３０がパネル駆動用ＩＣ３内に構成されている。
【００２７】
（画素の詳細構成）
図５は、本発明の実施の形態１に係る電気光学装置を図４のＣ−Ｃ′線で切断してサブ画素の断面を模式的に示す説明図である。
【００２８】
図４に示すように、本形態の電気光学装置１において、１つの画素５０は、赤（Ｒ）、緑（Ｇ）、青（Ｂ）に対応するサブ画素５１（Ｒ）、５１（Ｇ）、５１（Ｂ）を備えている。ここで、サブ画素５１（Ｒ）、５１（Ｇ）、５１（Ｂ）はいずれもが各々、個別のＴＦＤ素子７０を介して各データ線４２に接続している。従って、サブ画素５１（Ｒ）、５１（Ｇ）、５１（Ｂ）に対しては各々、所定の画像信号を供給することができる。
【００２９】
また、本形態では、図５を参照して以下に説明するように、サブ画素５１（Ｒ）、５１（Ｇ）、５１（Ｂ）は各々、バックライト装置６から出射された光を変調する透過モードで画像を表示するカラー表示部５１１（第１表示部）と、入射した外光を変調する反射モードで画像を表示するモノクロ表示部５１２（第２表示部）とを備えている。
【００３０】
図５（Ａ）に示すように、サブ画素５１（Ｒ）、５１（Ｇ）、５１（Ｂ）では、素子基板２０のガラスなどの透光性基材の表面に透光性の下地膜２２が形成され、この下地膜２２の表面には、複数本のデータ線４２と、それらのデータ線４２に接続された複数のＴＦＤ素子７０とが形成されている。また、データ線４２およびＴＦＤ素子７０の表面側には、透光性の感光性樹脂からなる層間絶縁膜２３が形成され、この層間絶縁膜２３の表面に、ＩＴＯ（Ｉｎｄｉｕｍ  Ｔｉｎ  Ｏｘｉｄｅ）からなる透光性の透過表示用画素電極２４、アルミニウムや銀などからなる反射表示用画素電極２６（反射層）、および配向膜２９がこの順に形成されている。層間絶縁膜２３にはコンタクトホール２３０が形成され、このコンタクトホール２３０を介して、透過表示用画素電極２４および反射表示用画素電極２６がＴＦＤ素子７０に電気的に接続している。なお、透過表示用画素電極２４と反射表示用画素電極２６との間には、モリブデンなどの下地層が形成される場合がある。
【００３１】
ここで、透過表示用画素電極２４は、サブ画素全体に形成されている。これに対して、反射表示用画素電極２６は、サブ画素内の一部のみに形成されて光透過部２６０（透過表示部）が形成され、そこでは、透過表示用画素電極２４が露出している。反射表示用画素電極２６が形成されている領域は反射表示部であり、この領域では、層間絶縁膜２３の表面に複数の凹凸がランダムに形成され、このような凹凸は、反射表示用画素電極２６の表面にまで反映されている。すなわち、反射表示用画素電極２６で反射された光の方向性が強いと、画像をみる角度で明るさが異なるなどの視野角依存性や背景の写り込みなどが顕著に出てしまうが、本形態では、反射表示用画素電極２６の下層側に感光性樹脂によって層間絶縁膜２３を形成する際、その表面に光散乱用の微小な凹凸を付して凹凸形成層とすることにより、反射表示用画素電極２６の表面に光散乱用の微小な凹凸を形成してある。ここで、層間絶縁膜２３は、２層あるいは１層からなる感光性樹脂層により形成される。なお、光透過部２６０（透過表示部）では、層間絶縁膜２３の厚さ方向の一部あるいは全体を除去してもよい。
【００３２】
対向基板３０では、ガラスなどの透光性基材の表面に遮光膜３２および所定色のカラーフィルタ層３３が形成され、その表面側に透光性の平坦化膜３４、帯状のＩＴＯなどからなる透光性の走査線４１（対向電極）、およびポリイミド樹脂等からなる配向膜３９がこの順に形成されている。従って、カラーフィルタ層３３として、赤（Ｒ）、緑（Ｇ）、青（Ｂ）のいずれの着色性を備えたカラーフィルタ層を形成するかによって、いずれの色に対応するサブ画素５１（Ｒ）、５１（Ｇ）、５１（Ｂ）となるかが規定される。ここで、カラーフィルタ層３３は、光透過部２６０（透過表示部）と対向する領域のみに形成され、カラーフィルタ層３３が形成されている領域によって、サブ画素５１（Ｒ）、５１（Ｇ）、５１（Ｂ）にはカラー表示部５１１が形成され、カラーフィルタ層３３が形成されていない領域によってモノクロ表示部５１２が形成されている。
【００３３】
ここで、平坦化膜３４の厚さを、カラー表示部５１１とモノクロ表示部５１２とで比較すると、カラー表示部５１１では薄く、モノクロ表示部５１２では厚い。このため、カラー表示部５１１では、カラーフィルタ層３３が形成されているにもかかわらず、液晶層４３が厚く、モノクロ表示部５１２では、カラーフィルタ層３３が形成されていないにもかかわらず、液晶層４３が薄い。
【００３４】
なお、ＴＦＤ素子７０は、第１のＴＦＤ素子７０ａおよび第２のＴＦＤ素子７０ｂからなり、素子基板２０の表面に形成された絶縁膜２２上において、第１金属膜７２と、この第１金属膜７２の表面に陽極酸化によって形成された絶縁体たる酸化膜７４と、この表面に形成されて相互に離間した第２金属膜７６ａ、７６ｂとから構成されている。また、第２金属膜７６ａは、そのままデータ線４２となる一方、第２金属膜７６ｂは、透過表示用画素電極２４に接続されている。第１のＴＦＤ素子７０ａは、データ線４２の側からみると順番に、第２金属膜７６ａ／酸化膜７４／第１金属膜７２となって、金属（導電体）／絶縁体／金属（導電体）のサンドイッチ構造を採るため、正負双方向のダイオードスイッチング特性を有することになる。一方、第２のＴＦＤ素子７０ｂは、データ線４２の側からみると順番に、第１金属膜７２／酸化膜７４／第２金属膜７６ｂとなって、第１のＴＦＤ素子７０ａとは、反対のダイオードスイッチング特性を有することになる。従って、ＴＦＤ素子７０は、２つのダイオードを互いに逆向きに直列接続した形となっているため、１つのダイオードを用いる場合と比べると、電流−電圧の非線形特性が正負の双方向にわたって対称化されることになる。なお、このように非線形特性を厳密に対称化する必要がないのであれば、１つのＴＦＤ素子７０のみを用いても良い。なお、ＴＦＤ素子７０は、ダイオード素子としての一例であり、他に、酸化亜鉛（ＺｎＯ）バリスタや、ＭＳＩ（Ｍｅｔａｌ  Ｓｅｍｉ  Ｉｎｓｕｌａｔｏｒ）などを用いた素子や、これらの素子を単体、または逆向きに直列接続もしくは並列接続したものなどが適用可能である。
【００３５】
（動作）
このように構成した電気光学装置１では、サブ画素５１（Ｒ）、５１（Ｇ）、５１（Ｂ）のカラー表示部５１１を用いた透過モードでのカラー画像の表示と、サブ画素５１（Ｒ）、５１（Ｇ）、５１（Ｂ）のモノクロ表示部５１２を用いた反射モードでのモノクロ画像の表示とを行うことができ、このようなモードの切り換えは、電気光学装置１を搭載した電子機器での利用者の操作（電気光学装置外からの指令）、あるいは後述するように自動的に行われる。ここで、透過モードでのカラー画像の表示と、反射モードでのカラー画像の表示とは、一方の表示途中で切り換えられることもある。
【００３６】
（表示モードの自動切り換えのための構成）
本形態の電気光学装置１において、カラー表示用のサブ画素５１（Ｒ）、５１（Ｇ）、５１（Ｂ）を用いた透過モードでのカラー画像の表示と、モノクロ表示用のサブ画素５１（Ｍ）を用いた反射モードでのカラー画像の表示との切り替えを自動的に行う場合の構成を説明する。
【００３７】
このような自動的な切り換えを行うために、本発明では、図３に示すように、透過モードで画像を表示するタイミングと、反射モードで画像を表示するタイミングとを判別する判別手段４４０を有しており、この判別手段の判別結果に基づいて、画像データ変換部４３０は、カラー画像を表示する場合の信号をモノクロ画像を表示するための信号に自動的に変換する。
【００３８】
このような判別手段４４０としては、例えば、図１に示すように、光強度センサ４４１を用いることができ、このような光強度センサ４４１は、例えば、素子基板２０上に搭載される。この場合、フレーム７に光導入孔７１０を形成しておく。このように構成すると、光強度センサ４４１は、フレーム７の光導入孔７１０を介して外光を検出し、外光の照度が低いときには透過モードで表示するタイミングと判別し、外光の照度が高いときには反射モードで表示するタイミングと判別する。そして、画像データ変換部４３０は、カラー画像を表示する場合の信号をモノクロ画像を表示するための信号に変換し、この変換された信号をデータ線駆動回路４２０がデータ線４２に対して出力する。このため、反射モードと透過モードでは、しきい値電圧がずれている場合でも、モノクロ表示用のサブ画素５１（Ｍ）には、カラー表示用のサブ画素５１（Ｒ）、５１（Ｇ）、５１（Ｂ）とは異なる画像信号を供給できるので、透過モードで表示したカラー画像、および反射モードで表示したモノクロ画像のいずれにおいても、高い品位を得ることができる。なお、透過モードでカラー画像を表示中に外光の照度が高くなった場合には、透過モードでのカラー画像の表示を中断して、反射モードでのモノクロ画像の表示に切り換えてもよく、この場合には、ＬＥＤ６１を消灯させればよい。
【００３９】
（画像データの変換）
また、透過モードでカラー画像を表示した際、隣接するサブ画素５１（Ｒ）、５１（Ｇ）、５１（Ｂ）間で階調（輝度）が同一でも、出射する光の色が相違するため、情報を容易に判読できる。これに対して、反射モードでモノクロ画像を表示する際、カラー画像を表示するための信号をそのまま用いてモノクロ画像を表示すると、隣接するサブ画素５１（Ｍ）間で輝度が同一あるいは近似している場合には、情報を判読できなくなる。そこで、本形態では、画像データ変換部４３０は、カラー画像を表示するための信号を、例えば、以下のように変換してモノクロ画像を表示するための信号とする。
【００４０】
このような変換の第１の形態としては、カラー画像からモノクロ画像に変化する際に、隣接した画素５０において、カラー画像データでは異なる表示信号であり、かつ、モノクロ画像データに変換した際に同じ階調信号になる場合には、階調をずらして表示を行う。
【００４１】
例えば、カラー画像データにおいて、Ｒ、Ｇ,Ｂの各諧調をそれぞれ、ＤR、ＤG、ＤBとしたとき、隣接する画素５１のカラー画像データ（ＤR、ＤG、ＤB）が（１００，０，０）と（０，１００，０）の場合、モノクロ画像データ（ＤRM、ＤGM、ＤBM）を（１０５，０，０）と（０，９５，０）として各画素５１に供給する。
【００４２】
変換の第２の形態としては、カラー画像データにおいて、Ｒ、Ｇ,Ｂの各諧調がそれぞれ、ＤR、ＤG、ＤBである場合には、以下の係数を用いた計算式
モノクロ画像データＤRM＝０．６６×ＤR
モノクロ画像データＤGM＝１．００×ＤG
モノクロ画像データＤBM＝０．３４×ＤB
によって変換したデータをモノクロ画像データとする。
【００４３】
例えば、カラー画像データ（ＤR、ＤG、ＤB）＝（１００，３０，２０）の場合、
モノクロ画像データＤRM＝０．６６×１００
モノクロ画像データＤGM＝１．００×３０
モノクロ画像データＤBM＝０．３４×２０
より求めたモノクロ画像データ（ＤRM、ＤGM、ＤBM）＝（６６，３０，７）を各画素５１に供給する。
【００４４】
また、カラー画像データ（ＤR、ＤG、ＤB）＝（３０，１００，２０）の場合、
モノクロ画像データＤRM＝０．６６×３０
モノクロ画像データＤGM＝１．００×１００
モノクロ画像データＤBM＝０．３４×２０
より求めたモノクロ画像データ（ＤRM、ＤGM、ＤBM）＝（２０，１００，７）を各画素５１に供給する。
【００４５】
変換の第３の形態としては、カラー画像からモノクロ画像に変換する際に、カラー画像データから画像内の輪郭線を検出し、この輪郭線として、隣接する画素とは異なる階調に設定したデータを設定したものをモノクロ画像データとして用いる。
【００４６】
このようないずれの変換方法を用いた場合でも、カラー画像を表示するための信号をそのまま用いてモノクロ画像を表示する場合と違って、モノクロ画像において、隣接する画素間で輝度が同一あるいは近似している場合でも、表示した情報を容易に判読できる。
【００４７】
（本形態の効果）
以上説明したように、本形態の電気光学装置１では、反射モードでの画像の表示は外光を利用するという性質上、その光量は限られているが、本形態では、反射モードにおいてはモノクロ画像を表示するので、カラー画像を表示する場合と違って、カラーフィルタ層３３を透過しない。それ故、反射モードであっても、明るい画像を表示できるので、表示された情報を判読しやすい。また、反射モードと透過モードでは、しきい値電圧がずれるため、透過モードでカラー画像を表示するのに最適化した画像信号をそのまま用いて反射モードでモノクロ画像を表示するとコントラストの低下が発生するが、本形態では、モノクロ表示の際と、カラー表示の際とでは、サブ画素５１に異なる画像信号を供給するので、透過モードで表示したカラー画像、および反射モードで表示したモノクロ画像のいずれにおいても、高い品位を得ることができる。
【００４８】
さらに、本形態では、平坦化膜３４の厚さをカラー表示部５１１とモノクロ表示部５１２とで変えて、カラー表示部５１１では液晶層４３が厚く、モノクロ表示部５１２では液晶層４３が薄くなっている。従って、反射モードでは、光が液晶層４３を２回通過するのに対して、透過モードでは、光が液晶層４３を１回しか通過しない場合でも、透過表示を行うカラー表示部５１１における液晶層４３の層厚を厚くしてあるので、カラー表示部５１１およびモノクロ表示部５１２のいずれにおいても、リタデーションを最適化することができる。
【００４９】
（判別手段４４０の別の構成）
本形態の電気光学装置１において、カラー表示部５１１を用いた透過モードでのカラー画像の表示と、モノクロ表示部５１２を用いた反射モードでのカラー画像の表示との切り替えを自動的に行うための判別手段４４０としては、バックライト光源としてのＬＥＤ６１が点灯しているか否かを監視する監視部をパネル駆動用ＩＣ３などに構成してもよい。この場合、監視部は、ＬＥＤ６１に電力供給が行われているか否かの監視結果に基づいて、ＬＥＤ６１が点灯しているか否かを監視する。従って、監視部は、ＬＥＤ６１が点灯しているときには透過モードで表示するタイミングと判別でき、ＬＥＤ６１が消灯しているときには反射モードで表示するタイミングと判別できる。そして、パネル駆動用ＩＣ３に構成された画像データ変換部４３０は、データ線駆動回路４２０に対して透過モード用と反射モード用とで異なる信号を出力する。
【００５０】
［実施の形態２］
（画素の詳細構成）
図６は、本発明の実施の形態２に係る電気光学装置の画素構成を平面的に示す説明図である。図７（Ａ）、（Ｂ）は、本発明を適当した電気光学装置を図６のＡ−Ａ′線で切断してカラー表示用のサブ画素の断面を模式的に示す説明図、および図６のＢ−Ｂ′線で切断してモノクロ表示用のサブ画素の断面を模式的に示す説明図である。なお、本形態の電気光学装置の基本的な構成は、実施の形態１と同様であるため、共通する部分は、同一の符号を付してそれらの説明を省略する。
【００５１】
図６に示すように、本形態の電気光学装置１において、１つの画素５０は、赤（Ｒ）、緑（Ｇ）、青（Ｂ）に対応する第１表示部としてのカラー表示用のサブ画素５１（Ｒ）、５１（Ｇ）、５１（Ｂ）と、第２表示部としてのモノクロ表示用のサブ画素５１（Ｍ）とを備えている。すなわち、１つの画素５０は、等しい面積をもって格子状に配列された４つサブ画素からなり、そのうちの３つのサブ画素がカラー表示用のサブ画素５１（Ｒ）、５１（Ｇ）、５１（Ｂ）であり、残り１つのサブ画素がモノクロ表示用のサブ画素５１（Ｍ）である。
【００５２】
ここで、サブ画素５１（Ｒ）、５１（Ｇ）、５１（Ｂ）、５１（Ｍ）はいずれもが各々、個別のＴＦＤ素子７０を介して各データ線４２に接続している。従って、サブ画素５１（Ｒ）、５１（Ｇ）、５１（Ｂ）、５１（Ｍ）に対しては各々、所定の画像信号を供給することができる。すなわち、画素５０では、カラー表示用のサブ画素５１（Ｒ）、５１（Ｇ）、５１（Ｂ）とモノクロ表示用のサブ画素５１（Ｍ）とに異なる画像信号を供給することができる。
【００５３】
また、本形態では、図７（Ａ）、（Ｂ）を参照して以下に説明するように、カラー表示用のサブ画素５１（Ｒ）、５１（Ｇ）、５１（Ｂ）は、バックライト装置６から出射された光を変調する透過モードで画像を表示し、モノクロ表示用のサブ画素５１（Ｍ）は、入射した外光を変調する反射モードで画像を表示するように構成されている。
【００５４】
まず、図７（Ａ）に示すように、カラー表示用のサブ画素５１（Ｒ）、５１（Ｇ）、５１（Ｂ）では、素子基板２０のガラスなどの透光性基材の表面に透光性の下地膜２２が形成され、この下地膜２２の表面には、複数本のデータ線４２と、それらのデータ線４２に接続された複数のＴＦＤ素子７０とが形成されている。また、データ線４２およびＴＦＤ素子７０の表面側には、透光性の感光性樹脂からなる層間絶縁膜２３が形成され、この層間絶縁膜２３の表面に、ＩＴＯ（Ｉｎｄｉｕｍ  Ｔｉｎ  Ｏｘｉｄｅ）からなる透光性の透過表示用画素電極２４および配向膜２９がこの順に形成されている。層間絶縁膜２３にはコンタクトホール２３０が形成され、このコンタクトホール２３０を介して、透過表示用画素電極２４がＴＦＤ素子７０に電気的に接続している。対向基板３０では、ガラスなどの透光性基材の表面に遮光膜３２および所定色のカラーフィルタ層３３が形成され、その表面側に透光性の平坦化膜３４、帯状のＩＴＯなどからなる透光性の走査線４１（対向電極）、およびポリイミド樹脂等からなる配向膜３９がこの順に形成されている。従って、カラーフィルタ層３３として、赤（Ｒ）、緑（Ｇ）、青（Ｂ）のいずれの着色性を備えたカラーフィルタ層を形成するかによって、いずれの色に対応するカラー表示用のサブ画素５１（Ｒ）、５１（Ｇ）、５１（Ｂ）となるかが規定される。なお、カラー表示用のサブ画素５１（Ｒ）、５１（Ｇ）、５１（Ｂ）では、反射層は形成されていない。また、カラー表示用のサブ画素５１（Ｒ）、５１（Ｇ）、５１（Ｂ）では、層間絶縁膜２３の厚さ方向の一部あるいは全体を除去してもよい。
【００５５】
図７（Ｂ）に示すように、モノクロ表示用のサブ画素５１（Ｍ）では、素子基板２０の透光性基材の表面に下地膜２２が形成され、この下地膜２２の表面には、複数本のデータ線４２と、それらのデータ線４２に接続された複数のＴＦＤ素子７０とが形成されている。また、データ線２１およびＴＦＤ素子４０の表面側には、透光性の感光性樹脂からなる層間絶縁膜２３が形成されている。ここで、層間絶縁膜２３の表面には、アルミニウムや銀などからなる反射表示用画素電極２６（反射層）、ＩＺＯ（Ｉｎｄｉｕｍ  Ｚｉｎｃ  Ｏｘｉｄｅ）などからなる透光性の上層電極２７、および配向膜２９がこの順に形成されている。層間絶縁膜２３の表面には複数の凹凸がランダムに形成され、このような凹凸は、反射表示用画素電極２６の表面にまで反映されている。すなわち、反射表示用画素電極２６で反射された光の方向性が強いと、画像をみる角度で明るさが異なるなどの視野角依存性や背景の写り込みなどが顕著に出てしまうが、本形態では、反射表示用画素電極２６の下層側に感光性樹脂によって層間絶縁膜２３を形成する際、その表面に光散乱用の微小な凹凸を付して凹凸形成層とすることにより、反射表示用画素電極２６の表面に光散乱用の微小な凹凸を形成してある。ここで、層間絶縁膜２３は、２層あるいは１層からなる感光性樹脂層により形成される。なお、層間絶縁膜２３にはコンタクトホール２３０が形成され、このコンタクトホール２３０を介して、反射表示用画素電極２６がＴＦＤ素子７０に電気的に接続している。対向基板３０では、反射表示用画素電極２６と対向する領域にカラーフィルタ層が形成されておらず、平坦化膜３４、対向電極としての帯状の走査線４１、およびポリイミド樹脂等からなる配向膜３９がこの順に形成された構造になっている。
【００５６】
ここで、平坦化膜３４の厚さを、図７（Ａ）に示したカラー表示用のサブ画素５１（Ｒ）、５１（Ｇ）、５１（Ｂ）と、図７（Ｂ）に示したモノクロ表示用のサブ画素５１（Ｍ）とで比較すると、カラー表示用のサブ画素５１（Ｒ）、５１（Ｇ）、５１（Ｂ）では薄く、モノクロ表示用のサブ画素５１（Ｍ）では厚い。このため、カラー表示用のサブ画素５１（Ｒ）、５１（Ｇ）、５１（Ｂ）では、カラーフィルタ層３３が形成されているにもかかわらず、液晶層４３が厚く、モノクロ表示用のサブ画素５１（Ｍ）では、カラーフィルタ層３３が形成されていないにもかかわらず、液晶層４３が薄い。
【００５７】
（動作および本形態の主な効果）
このように構成した電気光学装置１では、カラー表示用のサブ画素５１（Ｒ）、５１（Ｇ）、５１（Ｂ）を用いた透過モードでのカラー画像の表示と、モノクロ表示用のサブ画素５１（Ｍ）を用いた反射モードでのモノクロ画像の表示とを行うことができ、このようなモードの切り換えは、実施の形態１と同様、電気光学装置１を搭載した電子機器での利用者の操作、あるいは後述するように自動的に行われる。ここで、透過モードでのカラー画像の表示と、反射モードでのカラー画像の表示とは、一方の表示途中で切り換えられることもある。なお、カラー画像を表示している間、モノクロ表示用のサブ画素５１（Ｍ）は消灯状態とされる。また、モノクロ画像を表示している間、カラー表示用のサブ画素５１（Ｒ）、５１（Ｇ）、５１（Ｂ）は消灯状態とされる。
【００５８】
このように構成した電気光学装置１では、反射モードでの画像の表示は外光を利用するという性質上、その光量は限られているが、本形態では、反射モードにおいてはモノクロ画像を表示するので、カラー画像を表示する場合と違って、カラーフィルタ層３３を透過しない。それ故、反射モードであっても、明るい画像を表示できるので、表示された情報を判読しやすい。
【００５９】
また、反射モードと透過モードでは、しきい値電圧がずれるため、透過モードでカラー画像を表示するのに最適化した画像信号をそのまま用いて反射モードでモノクロ画像を表示するとコントラストの低下が発生するが、本形態では、モノクロ表示用のサブ画素５１（Ｍ）には、カラー表示用のサブ画素５１（Ｒ）、５１（Ｇ）、５１（Ｂ）とは異なる画像信号を供給できるので、透過モードで表示したカラー画像、および反射モードで表示したモノクロ画像のいずれにおいても、高い品位を得ることができる。
【００６０】
さらに、本形態では、平坦化膜３４の厚さをカラー表示用のサブ画素５１（Ｒ）、５１（Ｇ）、５１（Ｂ）とモノクロ表示用のサブ画素５１（Ｍ）とで変えて、カラー表示用のサブ画素５１（Ｒ）、５１（Ｇ）、５１（Ｂ）では液晶層４３が厚く、モノクロ表示用のサブ画素５１（Ｍ）では液晶層４３が薄くなっている。従って、反射モードでは、光が液晶層４３を２回通過するのに対して、透過モードでは、光が液晶層４３を１回しか通過しない場合でも、透過表示を行うカラー表示用のサブ画素における液晶層４３の層厚を厚くしてあるので、カラー表示用のサブ画素５１（Ｒ）、５１（Ｇ）、５１（Ｂ）およびモノクロ表示用のサブ画素５１（Ｍ）のいずれにおいても、リタデーションを最適化することができる。
【００６１】
また、本形態では、サブ画素５１（Ｒ）、５１（Ｇ）、５１（Ｂ）、５１（Ｍ）のいずれにおいても、ＴＦＤ素子７０、１つ当たりのサブ画素面積が等しい。このため、透過モードで表示する場合と反射モードで表示する場合において、容量比を等しくできるので、駆動電圧を等しくすることができる。
【００６２】
また、本形態でも、画像データ変換部４３０は、カラー画像を表示するための信号を、例えば、以下のように変換してモノクロ画像を表示するための信号とする。
【００６３】
このような変換の第１の形態としては、カラー画像からモノクロ画像に変化する際に、隣接した画素５０において、カラー画像データでは異なる表示信号であり、かつ、モノクロ画像データに変換した際に同じ階調信号になる場合には、階調をずらして表示を行う。
【００６４】
変換の第２の形態としては、カラー画像データにおいて、Ｒ、Ｇ,Ｂの各諧調がそれぞれ、ＤR、ＤG、ＤBである場合には、以下の係数を用いた計算式
モノクロ画像データＤM＝０．３３×ＤR＋０．５×ＤG＋０．１７×ＤB
によって変換したデータをモノクロ画像データとする。
【００６５】
例えば、（ＤR、ＤG、ＤB）＝（１００，３０，３０）の場合、
モノクロ画像データＤM＝０．３３×１００＋０．５×３０＋０．１７×３０
＝５１
また、（ＤR、ＤG、ＤB）＝（３０，１００，２０）の場合、
モノクロ画像データＤM＝０．３３×３０＋０．５×１００＋０．１７×２０
＝６３
とする。
【００６６】
変換の第３の形態としては、カラー画像からモノクロ画像に変換する際に、カラー画像データから画像内の輪郭線を検出し、この輪郭線として、隣接する画素とは異なる階調に設定したデータを設定したものをモノクロ画像データとして用いる。
【００６７】
このようないずれの変換方法を用いた場合でも、カラー画像を表示するための信号をそのまま用いてモノクロ画像を表示する場合と違って、モノクロ画像において、隣接する画素間で輝度が同一あるいは近似している場合でも、表示した情報を容易に判読できる。
【００６８】
［実施の形態２の変形例１］
図８は、本発明の実施の形態２の変形例１に係る電気光学装置の画素構成を平面的に示す説明図である。
【００６９】
図８に示すように、本形態の電気光学装置では、第１表示部としての３つのカラー表示用のサブ画素５１（Ｒ）、５１（Ｇ）、５１（Ｂ）が走査線４１に沿って繰り返し配列された行（Ｘ方向）と、第２表示部としてのモノクロ表示用のサブ画素５１（Ｍ）のみが走査線４１に沿って配列された行（Ｘ方向）とがデータ線４２が延びている方向（Ｙ方向）に向かって交互に配列されている。ここで、サブ画素５１（Ｒ）、５１（Ｇ）、５１（Ｂ）、５１（Ｍ）はいずれも、同一の面積を有している。なお、各サブ画素５１（Ｒ）、５１（Ｇ）、５１（Ｂ）、５１（Ｍ）の構成や動作などは、実施の形態２と同様であるため、それらの説明を省略する。
【００７０】
本形態でも、カラー表示用のサブ画素５１（Ｒ）、５１（Ｇ）、５１（Ｂ）は、バックライト装置６から出射された光を変調する透過モードで画像を表示し、モノクロ表示用のサブ画素５１（Ｍ）は、入射した外光を変調する反射モードで画像を表示するように構成されている。また、サブ画素５１（Ｒ）、５１（Ｇ）、５１（Ｂ）、５１（Ｍ）はいずれもが各々、個別のＴＦＤ素子７０を介して各データ線４２に接続している。従って、サブ画素５１（Ｒ）、５１（Ｇ）、５１（Ｂ）、５１（Ｍ）に対しては各々、所定の画像データを供給することができる。すなわち、画素５０では、カラー表示用のサブ画素５１（Ｒ）、５１（Ｇ）、５１（Ｂ）とモノクロ表示用のサブ画素５１（Ｍ）とに異なる画像信号を供給することができる。また、サブ画素５１（Ｒ）、５１（Ｇ）、５１（Ｂ）、５１（Ｍ）のいずれにおいても、ＴＦＤ素子７０、１つ当たりのサブ画素面積が等しいため、透過モードで表示する場合と反射モードで表示する場合において、容量比を等しくできるので、駆動電圧を等しくすることができる。
【００７１】
［実施の形態２の変形例２］
図９は、本発明の実施の形態２の変形例２に係る電気光学装置の画素構成を平面的に示す説明図である。
【００７２】
図９に示すように、本形態の電気光学装置では、第１表示部としての３つのカラー表示用のサブ画素５１（Ｒ）、５１（Ｇ）、５１（Ｂ）が走査線４１に沿って繰り返し配列された行（Ｘ方向）と、サブ画素５１（Ｒ）、５１（Ｇ）、５１（Ｂ）の３倍の面積をもった第２表示部としてのモノクロ表示用のサブ画素５１（Ｍ）のみが走査線４１に沿って配列された行（Ｘ方向）とがデータ線４２が延びている方向（Ｙ方向）に向かって交互に配列されている。ここで、カラー表示用のサブ画素５１（Ｒ）、５１（Ｇ）、５１（Ｂ）はいずれも、同一の面積を有している。また、カラー表示用のサブ画素５１（Ｒ）、５１（Ｇ）、５１（Ｂ）は、１つのＴＦＤ素子７０を介してデータ線４２に接続しているが、モノクロ表示用のサブ画素５１（Ｍ）は、３つのＴＦＤ素子７０を介してデータ線４２に接続している。なお、各サブ画素５１（Ｒ）、５１（Ｇ）、５１（Ｂ）、５１（Ｍ）の構成や動作などは、実施の形態２と同様であるため、それらの説明を省略する。
【００７３】
本形態でも、カラー表示用のサブ画素５１（Ｒ）、５１（Ｇ）、５１（Ｂ）は、バックライト装置６から出射された光を変調する透過モードで画像を表示し、モノクロ表示用のサブ画素５１（Ｍ）は、入射した外光を変調する反射モードで画像を表示するように構成されている。また、サブ画素５１（Ｒ）、５１（Ｇ）、５１（Ｂ）、５１（Ｍ）はいずれもが各々、個別のＴＦＤ素子７０を介して各データ線４２に接続している。従って、サブ画素５１（Ｒ）、５１（Ｇ）、５１（Ｂ）、５１（Ｍ）に対しては各々、所定の画像データを供給することができる。すなわち、画素５０では、カラー表示用のサブ画素５１（Ｒ）、５１（Ｇ）、５１（Ｂ）とモノクロ表示用のサブ画素５１（Ｍ）とに異なる画像信号を供給することができる。
【００７４】
また、サブ画素５１（Ｒ）、５１（Ｇ）、５１（Ｂ）は各々、１つのＴＦＤ素子７０を介してデータ線４２に電気的に接続しているが、サブ画素５１（Ｍ）は、面積が３倍ある分、３つのＴＦＤ素子７０を介してデータ線４２に電気的に接続している。このため、サブ画素５１（Ｒ）、５１（Ｇ）、５１（Ｂ）、５１（Ｍ）は、ＴＦＤ素子７０、１つ当たりのサブ画素面積が等しいため、透過モードで表示する場合と反射モードで表示する場合において、容量比を等しくできるので、駆動電圧を等しくすることができる。
【００７５】
［その他の実施の形態］
上記実施の形態では、素子基板２０および対向基板３０のうち、表示光が出射される側に対向基板３０が配置され、その反対側に素子基板２０が配置されていたが、表示光が出射される側に素子基板２０が配置され、その反対側に対向基板３０が配置されている構成であってもよい。この場合、カラーフィルタ層および反射層の双方が対向基板３０に形成される。
【００７６】
また、上記実施の形態では、モノクロ表示部には、対応するカラーフィルタ層を設けない構成としたが、モノクロ表示部に対応する単一色のカラーフィルタ層、例えば、緑のカラーフィルタ層を設け、単色の階調表示のための表示部としても良い。この場合、単一色のカラーフィルタ層を、カラー表示部に対応するカラーフィルタ層と同時に形成し、単色の階調表示のための表示部に重なる領域に配置することができる。
【００７７】
また、上記実施の形態では、モノクロ表示を反射表示としカラー表示を透過表示としたが、モノクロ表示を透過表示としカラー表示を反射表示としても、カラー画像およびモノクロ画像のいずれにおいても情報を容易に、かつ、確実に判読することができる。
【００７８】
また、上記形態では、アクティブ素子としてＴＦＤ素子を用いた液晶パネルを備えた電気光学装置を例に説明したが、アクティブ素子としてＴＦＴを用いた液晶パネルを備えた電気光学装置などに本発明を適用してもよい。また、本発明は、電気光学装置としての液晶表示装置に適用されることが好ましい。また、横電界駆動方式の液晶表示装置に本発明を適用しても良い。また、上記実施の形態では、カラー表示部を、赤（Ｒ）、緑（Ｇ）、青（Ｂ）に対応させたが、赤（Ｒ）、緑（Ｇ）、青（Ｂ）以外、例えば、イエロー、シアン、マゼンタなどに対応させても良い。
【００７９】
［電子機器への搭載例］
図１０（Ａ）、（Ｂ）は、本発明を適用した電子機器の一例としての折り畳み式携帯電話機を折り畳んだ状態、および開いた状態の説明図である。
【００８０】
本発明を適用した電気光学装置は、例えば、図１０（Ａ）、（Ｂ）に示す携帯電話機３００に用いられる。この携帯電話３００では、蓋体３３０がヒンジ部３４０を介して操作本体３５０に回動自在に連結されている。携帯電話機３００は、蓋体３３０を開いたときに蓋体３３０の内側で画像を表示するメイン表示部３１１を備える一方、蓋体３３０の外側には、蓋材３３０を操作本体３５０に折り重ねたときに画像を表示するサブ表示部３２１を備えている。このような折り畳み式の携帯電話機３００に本発明を適用するにあたっては、例えば、メイン表示部３１１を構成する電気光学装置の本発明を適用する。ここで、透過モードで表示を行うタイミングか、反射モードで表示を行うタイミングかを図１に示す光強度センサ４４１で行う場合には、メイン表示部３１１の周囲に光導入孔７１０を形成しておけばよい。
【００８１】
なお、本発明を適用した電気光学装置１は、上記携帯電話機の他、モバイルコンピュータ、デジタルカメラ、ムービーカメラ、車載機器、オーディオ機器、プロジェクタなどの各種電子機器に用いることができる。
【図面の簡単な説明】
【００８２】
【図１】本発明を適用した電気光学装置の分解斜視図である。
【図２】図１に示す電気光学装置の断面図である。
【図３】図１に示す電気光学装置の電気的構成を示すブロック図である。
【図４】本発明の実施の形態１に係る電気光学装置の画素構成を平面的に示す説明図である。
【図５】本発明の実施の形態１に係る電気光学装置を図４のＣ−Ｃ′線で切断してサブ画素の断面を模式的に示す説明図である。
【図６】本発明の実施の形態２に係る電気光学装置の画素構成を平面的に示す説明図である。
【図７】（Ａ）、（Ｂ）は、本発明の実施の形態２に係る電気光学装置を図６のＡ−Ａ′線で切断してカラー表示用サブ画素の断面を模式的に示す説明図、および図６のＢ−Ｂ′線で切断してモノクロ表示用サブ画素の断面を模式的に示す説明図である。
【図８】本発明の実施の形態２の変形例１に係る電気光学装置の画素構成を平面的に示す説明図である。
【図９】本発明の実施の形態２の変形例２に係る電気光学装置の画素構成を平面的に示す説明図である。
【図１０】（Ａ）、（Ｂ）は、本発明を適用した電子機器の一例としての折り畳み式携帯電話機を折り畳んだ状態、および開いた状態の説明図である。
【符号の説明】
【００８３】
１  電気光学装置、１０  電気光学パネル、２０  素子基板、３０  対向基板、４１  走査線、４２  データ線、４３  液晶層（電気光学物質層）、５０  画素、５１（Ｒ）、５１（Ｇ）、５１（Ｂ）  カラー表示用のサブ画素（カラー表示部）、５１（Ｍ）  モノクロ表示用のサブ画素（モノクロ表示部）、７０  ＴＦＤ素子（非線形素子）、８１  光強度センサ、４１０  走査線駆動回路、４２０  データ線駆動回路、４３０  画像データ変換部、４４０  判別手段、４４１  光強度センサ、５１１  カラー表示部、５１２  モノクロ表示部
【図１】
2006071865.tif 000003
【図２】
2006071865.tif 000004
【図３】
2006071865.tif 000005
【図４】
2006071865.tif 000006
【図５】
2006071865.tif 000007
【図６】
2006071865.tif 000008
【図７】
2006071865.tif 000009
【図８】
2006071865.tif 000010
【図９】
2006071865.tif 000011
【図１０】
2006071865.tif 000012